(57)【要約】【課題】  本発明は、商業写真や高品位なスタジオポートレートを提供する写真館において、高品位の画像を短時間のうちに撮影することが可能な撮影用照明装置を提供することを目的とする。【解決手段】  撮影用照明装置であって、発光ダイオード光源と、撮影用信号を入力する入力部と、前記発光ダイオード光源を、第１の発光状態で発光させ、前記入力部に撮影用信号が入力された後、所定時間第２の発光状態で発光させる発光制御部とを有する撮影用照明装置。【選択図】  図１
2008046410.tif 000002
【特許請求の範囲】
【請求項１】
撮影用照明装置であって、発光ダイオード光源と、撮影用信号を入力する入力部と、前記発光ダイオード光源を、前記入力部に撮影用信号が入力された後、所定時間任意の発光量で発光させる発光制御部とを有することを特徴とする撮影用照明装置。
【請求項２】
前記発光ダイオード光源は、パルス状の駆動電流で駆動されており、前記発光制御部は、前記発光ダイオード光源に供給する駆動電流のパルスを制御することを特徴とする請求項１に記載の撮影用照明装置。
【請求項３】
前記発光制御部は、第１の発光状態では、前記第２の発光状態の５０％以下の発光量となるように前記発光ダイオード光源を制御することを特徴とする請求項１又は２に記載の撮影用照明装置。
【請求項４】
前記発光制御部は、前記発光ダイオード光源に供給する駆動電流の電流及び電圧のうち少なくとも一方を制御することを特徴とする請求項１乃至３のいずれか１項に記載の撮影用照明装置。
【請求項５】
撮影情報を入力する撮影情報入力部と、前記撮影情報入力部で入力される撮影情報と予め対応付けられた発光状態制御情報を記憶する制御情報記憶部とを有し、前記発光制御部は、前記制御情報記憶部に記憶された発光状態制御情報に基づいて、前記第２の発光状態の発光を制御することを特徴とする請求項１乃至４のいずれか１項に記載の撮影用照明装置。
【発明の詳細な説明】
【技術分野】
【０００１】
本発明は、撮影用照明装置に関するものである。
【背景技術】
【０００２】
写真のデジタル化が進む今日、デジタル撮影装置による商業写真や高品位なスタジオポートレートを提供する写真館においては、高品位の画像を短時間のうちに撮影しなければならず、デジタル撮影装置に使用されている撮像素子に適した撮影用照明装置の改良が検討されている。
例えば、人物撮影を行う際のスタジオ内の明るさや使用されている光源の種類を検知し、検知結果に基づいてストロボの発光を制御することにより、撮影状況に応じたライティング条件を提供する撮影システムが提案されている（例えば、特許文献１参照）。
【０００３】
一方、撮影用照明装置の光源の改良も検討されており、発光ダイオード（ＬＥＤ）を光源とする撮影用照明装置が提案されている。例えば、青色発光のＬＥＤと黄色発光の蛍光体との組合せから成る白色ＬＥＤ素子と少なくとも１個の赤色発光のＬＥＤを含む撮影用照明装置により、演色性を向上させて違和感を生じないように図っている。また、白色ＬＥＤ光源から放出された光を前方に反射させるリフレクタを有する照明装置により、ＬＥＤ光源からの光を効率よく使用している。
【特許文献１】特開２００５−３０１０９６号公報（特許請求の範囲、発明の詳細な説明の欄、及び図面を参照）
【発明の開示】
【発明が解決しようとする課題】
【０００４】
高品位の画像を短時間のうちに撮影するためには、撮影を行う前に、ピント合わせや被写体のポージング、照明装置の演色性の調整等の前準備（以下、モデリングともいう）を効率よく行う必要があった。
ところが、特許文献１で使用されている照明装置は、撮影時のみ発光し、ピント合わせや被写体のポージングを行っているモデリング時は極めて低い照度の補助光源下で作業を行わなければならず、例えば正確なピント合わせを迅速に行うことが困難であった。
【０００５】
また、撮影時のみ発光する、いわゆるストロボ装置の発光時間は極めて短時間であるため、露出の決定には「ストロボメータ」と呼ばれる、撮影時の照度を推定する装置を使用しなければならず、撮影作業の効率は低いものであった。
【０００６】
また、蛍光灯や白熱灯などの補助光源を用いて照度を確保した場合であっても、撮影時とは異なる演色性の光源を用いることになり、実際に撮影してみなければどのような光が被写体に照射されているかが予測できず、撮影者の作画意図を再現する上でも効率が悪いものであった。
【０００７】
また、デジタル撮影装置において、露出制御や色調整は与えられた光量や光源種にあわせて、撮影装置側で行われてきたが、被写体の照度や色度が撮影装置に使用されている撮像素子の有効受光範囲（ダイナミックレンジ）に収まらない場合、画質の欠損は避けられなかった。
【０００８】
そこで本発明は、商業写真や高品位なスタジオポートレートを提供する写真館において、高品位の画像を短時間のうちに撮影することが可能な撮影用照明装置を提供することを目的とする。
【課題を解決するための手段】
【０００９】
上記課題を解決するための本発明の第１発明は、請求項１に記載された通りの撮影用照明装置であり、次のようなものである。
撮影用照明装置であって、発光ダイオード光源と、撮影用信号を入力する入力部と、前記発光ダイオード光源を、前記入力部に撮影用信号が入力された後、所定時間任意の発光量で発光させる発光制御部とを有する構成である。
【００１０】
上記課題を解決するための本発明の第２発明は、請求項２に記載された通りの撮影用照明装置であり、次のようなものである。
請求項１に記載の発明に加えて、前記発光ダイオード光源は、パルス状の駆動電流で駆動されており、前記発光制御部は、前記発光ダイオード光源に供給する駆動電流のパルスを制御する構成である。
【００１１】
上記課題を解決するための本発明の第３発明は、請求項３に記載された通りの撮影用照明装置であり、次のようなものである。
請求項１、または請求項２に記載の発明に加えて、前記発光制御部は、第１の発光状態では、前記第２の発光状態の５０％以下の発光量となるように前記発光ダイオード光源を制御する構成である。
【００１２】
上記課題を解決するための本発明の第４発明は、請求項４に記載された通りの撮影用照明装置であり、次のようなものである。
請求項１〜請求項３のいずれか１項に記載の発明に加えて、前記発光制御部は、前記発光ダイオード光源に供給する駆動電流の電流及び電圧のうち少なくとも一方を制御する構成である。
【００１３】
上記課題を解決するための本発明の第５発明は、請求項５に記載された通りの撮影用照明装置であり、次のようなものである。
請求項１〜請求項４のいずれか１項に記載の発明に加えて、撮影情報を入力する撮影情報入力部と、前記撮影情報入力部で入力される撮影情報と予め対応付けられた発光状態制御情報を記憶する制御情報記憶部とを有し、前記発光制御部は、前記制御情報記憶部に記憶された発光状態制御情報に基づいて、前記第２の発光状態の発光を制御する構成である。
【発明の効果】
【００１４】
本発明に係る撮影用照明装置は、上記説明のような構成であるので、以下に記載する効果を奏する。
本発明によれば、発光ダイオード光源を、第１の発光状態で発光させ、入力部に撮影用信号が入力された後、所定時間第２の発光状態で発光させるので、撮影時に用いる光源と同一の演色性を有し、かつ同一の光源配置を有する照明装置を用いてモデリングを行うことができるので、正確なピント合わせを迅速に行うことが可能となり、また、撮影時と極めて類似した光を被写体に照射できるので、露出の決定や撮影者の作画意図を再現する上で極めて効率が高く、高品位の画像を短時間のうちに撮影することが可能となる。
【発明を実施するための最良の形態】
【００１５】
撮影用照明装置であって、パルス状の駆動電流で駆動された発光ダイオード光源と、撮影用信号を入力する入力部と、前記発光ダイオード光源を、前記入力部に撮影用信号が入力された後、所定時間任意の発光量で発光させる前記発光ダイオード光源に供給する駆動電流のパルスを制御する発光制御部とを有する撮影用照明装置である。
【実施例】
【００１６】
以下、図面に基づき本発明の実施の形態を説明する。
図１は、本発明に係る撮影用照明装置の適用された写真撮影システムの一例を示した模式図である。写真撮影システム１では、被写体Ｈに対してＬＥＤライト１０ａ、１０ｂから光を常時照射させており、撮影手段であるカメラに同期してＬＥＤライト１０ａ、１０ｂを高照度発光させて撮影を行う。
【００１７】
撮影システム１は、被写体Ｈを撮影する撮影手段であるカメラ３、カメラ３で撮影を行う際に被写体にライティングを行うＬＥＤライト１０ａ、１０ｂそれぞれの発光量や写真撮影システム１での写真撮影に使用される各種装置を制御する制御装置２により制御され、ＬＥＤライト１０ａ、１０ｂそれぞれに電力を供給する電源装置４より構成される。
なお、本発明に係る撮影用照明装置はＬＥＤライト１０ａ、１０ｂ、制御装置２及び電源装置４により構成される。
【００１８】
本発明に係る発光ダイオード（ＬＥＤ）光源を用いたＬＥＤライト１０ａ、１０ｂは、被写体Ｈの周囲に配置され、本発明に係る撮影用照明装置の一部を構成する。ＬＥＤライト１０ａ、１０ｂは、設置される場所によってプレーンライト、フロントライト、サイドライト、レンブラントライト、バックグラウンドライト、アクセントライト、トップライト、スカイライト等の写真撮影における異なる機能を有するが、いずれにおいても同様の構成を有しているので、以下の説明においてはこれらを総称してＬＥＤライト１０とする。
【００１９】
ＬＥＤライト１０の詳細について、図２を用いて説明する。図２は、ＬＥＤライト１０の正面図である。
【００２０】
ＬＥＤライト１０は、反射板としても機能する白色の基板１２上に複数の行１０１及び列１０２状に配列して、発光ダイオード（ＬＥＤ）光源１１の二次元アレイを形成する。ＬＥＤ光源１１の配列は、本実施の形態では二次元アレイの形態としたが、放射状配列、千鳥配列等その他の構成も可能である。ＬＥＤ光源１１を配列することにより、被写体あるいは撮影範囲よりも広い範囲で均一な光量を提供する、いわゆる「面光源」を提供することが可能となり、容易に高品位な写真を提供することが可能となる。より均一な光量を提供するために、図示しない拡散板を設けるようにしてもよい。
【００２１】
ＬＥＤ光源１１は、白色ＬＥＤ光源１１Ｗ、緑色ＬＥＤ光源１１Ｇ、赤色ＬＥＤ光源１１Ｒ、マゼンタ色ＬＥＤ光源１１Ｍを含んでいる。白色ＬＥＤ光源１１Ｗには、代表的には青色発光ＬＥＤに黄色発光蛍光体を組み合わせた高輝度発光タイプのものが使用される。
一般に、白色ＬＥＤ光源１１Ｗは、比較的安価で高輝度が得られる反面、発光に赤色成分や緑色成分が少なく、白色ＬＥＤ光源１１Ｗのみを光源として被写体を照射して撮影すると、撮影画像に違和感を覚えるものとなる場合がある。そこで、高輝度の発光を提供する白色ＬＥＤ光源１１Ｗに、不足する色成分を補う緑色ＬＥＤ光源１１Ｇ、マゼンタ色ＬＥＤ光源１１Ｍ及び赤色ＬＥＤ光源１１Ｒを混在させることで、これらの発光が混合され、ＬＥＤライト１０の発光の演色性を良好なものとすることができる。
【００２２】
特に、カメラ３にＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子を用いる場合、固体撮像素子の分光感度に適合した発光を容易に提供することができ、被写体の持つ本来の色情報を忠実に再現できる点で好ましい。
【００２３】
本実施の形態では、均等に必要数配置された白色ＬＥＤ光源１１Ｗからなる白色ＬＥＤ行１０１Ｗと、白色ＬＥＤ光源１１Ｗの数の５分の１〜３分の１程度数の赤色ＬＥＤ光源１１Ｒを均等に配置し、さらに、撮像素子の分光感度において必要となる緑色ＬＥＤ光源１１Ｇとマゼンタ色ＬＥＤ光源１１Ｍを赤色ＬＥＤ光源１１Ｒの数と同程度数、均等に配置した有色ＬＥＤ行１０１Ｃとを交互に配置するようにしている。なお、各色のＬＥＤ光源１１の発光量、撮像素子の分光特性、撮影テーマによって、赤色ＬＥＤ光源１１Ｒ、緑色ＬＥＤ光源１１Ｇ及びマゼンタ色ＬＥＤ光源１１Ｍの数や色質、配置は適宜変更することが可能である。
【００２４】
このように、ＬＥＤライト１０を構成するＬＥＤ光源１１の発光色を予め所定の比率で配置しておくことにより、モデリング時及び撮影時のＬＥＤ光源１１の発光制御において、各色ＬＥＤ光源１１の個別の発光量制御を省略した場合であっても、撮像素子の特性や撮影テーマに応じた発光を提供することが可能となり、制御装置２の構成を簡略化することが可能となる点で好ましい。
【００２５】
図１に戻り、制御装置２は、制御部２１、記憶部２２、操作表示部２３、インタフェース２４等を備えており、カメラ３の動作と連動して、ＬＥＤライト１０、電源装置４及び図示しないロールスクリーン等のその他の装置を制御する。
【００２６】
制御部２１は、図示しないＣＰＵ（Ｃｅｎｔｒａｌ  Ｐｒｏｃｅｓｓｉｎｇ  Ｕｎｉｔ）、各種の制御プログラム等を格納するＲＯＭ（Ｒｅａｄ  Ｏｎｌｙ  Ｍｅｍｏｒｙ）、画像データ等を一時記憶するＲＡＭ（Ｒａｎｄｏｍ  Ａｃｃｅｓｓ  Ｍｅｍｏｒｙ）等を備えて構成され、制御装置２の各部を制御する。
【００２７】
記憶部２２は、図示しないＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）で構成され、予め設定されたＬＥＤライト１０の制御情報や、操作表示部２３やインタフェース２４から入力された各種情報を記憶する。
【００２８】
操作表示部２３は、液晶パネル等の表示装置及びマウスやキーボード等の入力装置で構成され、被写体Ｈの属性（成人、子供、男性、女性、人数、民族種による肌の色等）、被写体Ｈの背景等、撮影システム１を動作させるのに必要な各種の情報が入力されるとともに、カメラ３で撮影された画像を表示する。
なお、操作表示部２３は、ＵＳＢ（Ｕｎｉｖｅｒｓａｌ  Ｓｅｒｉａｌ  Ｂｕｓ）やＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）等の規格に準拠したインタフェース２４を介して、制御装置２から分離されたパーソナルコンピュータ等から、遠隔操作が可能であることは言うまでもない。
【００２９】
インタフェース２４は、ネットワークＮを介してカメラ３、電源装置４及び図示しない照度計や測色計等の各種センサと接続されており、撮影用信号を入力する入力部として機能する。カメラ３からは画像記録開始の信号や被写体Ｈの測光及び測色の情報、図示しない各種センサからは、ＬＥＤライト１０の照度や被写体Ｈの測色の情報が入力される。また、電源装置４及びカメラ３に対して制御信号を出力する。
【００３０】
カメラ３は、図示しない撮影レンズ、撮像素子、Ａ／Ｄ変換部、画像処理部、操作部、表示部、記憶部等を備えている。被写体Ｈの像は、撮影レンズを通して撮像素子に投影され、撮像素子で電気信号に変換された被写体像はＡ／Ｄ変換部でデジタル信号に変換され、画像処理部で各種の映像信号処理が行われた後、記憶部に格納される。また、保存形式がＪＰＥＧ方式である場合、画像処理部で各種の映像信号処理が行われた後、圧縮されて記憶部に格納される。
なお、カメラ３は、静止画像を記録するデジタルスチルカメラであっても、動画像を記録するデジタルムービーカメラであってもよいが、画像記録の開始は、図示しない操作部の操作によって開始される。
【００３１】
電源装置４は、図示しない整流回路やスイッチング回路、コンデンサ等を備えており、制御装置２の制御に基づいて、図示しない商用電源から供給された電力をＬＥＤライト１０に供給する。電源装置４がＬＥＤライト１０に供給する電力は、電流、電圧及びパルス幅が制御された直流電力である。
【００３２】
次に、図３〜５を用いて本発明に係る撮影用照明装置が適用された撮影システムの動作の一例を説明する。
【００３３】
図３は、図１に示した撮影システム１により実行される撮影動作時の処理を示すフローチャートである。なお、本実施の形態においてはカメラ３をデジタルスチルカメラとした静止画撮影を例としているが、これに限定されるものではない。また、撮影システム１に係る全ての装置の電源が投入されている状態にある。すなわち、ステップＳ１０１の段階においてＬＥＤライト１０は第１の発光状態で発光しているものである。
【００３４】
ステップＳ１０１では、制御装置２の操作表示部２３又はインタフェース２４から、撮影に係る諸条件が入力される。例えば、操作表示部２３からは被写体Ｈの属性（成人、子供、男性、女性、人数、民族種による肌の色等）、使用する背景の種類、ＬＥＤライト１０の配置レイアウトが入力され、インタフェース２４からは、カメラ３の撮影レンズ識別、シャッター速度、絞り値及び撮像素子の感度、図示しない照度計や測色計で測定された照度や色温度等が入力される。
【００３５】
操作表示部２３から入力される撮影条件の一例を、図４を用いて説明する。図４は、制御装置２の操作表示部２３に表示される撮影条件入力画面の一例である。撮影条件入力画面２３０では、被写体情報を入力する被写体情報入力部２３１、複数個配置されているＬＥＤライト１０それぞれの光量を調節する光量調節部２３２、被写体情報入力部２３１で入力された被写体情報と光量調節部２３２で入力された光量とを対応付けて図１に示した記憶部２２に記憶させる記憶ボタン２３３、モデリング時におけるＬＥＤライト１０の発光量と撮影時におけるＬＥＤライト１０の発光量との光量差を設定する光量差設定部２３４及び複数個配置されているＬＥＤライト１０の動作状態を示すＬＥＤライト表示部２３５とを有する。
【００３６】
被写体情報入力部２３１は、予め設定された被写体Ｈの属性の組み合わせの中から選択するようになっている。被写体Ｈの属性の組み合わせについては後述する。
【００３７】
光量調節部２３２は、複数個配置されているＬＥＤライト１０それぞれの光量を調節するものであり、本実施例においては、スカイライト２３２ａ、サイドライト２３２ｂ、フロントライト２３２ｃのいずれかを選択し、選択されたＬＥＤライト１０の発光光量を光量選択部２３２ｄで入力するようになっている。また、選択されたＬＥＤライト１０と連動して、ＬＥＤライト表示部２３５に選択されたスカイライト２３５ａ、サイドライト２３５ｂ、フロントライト２３５ｃが反転表示されるようになっている。
【００３８】
光量差設定部２３４は、モデリング時におけるＬＥＤライト１０の発光量と撮影時におけるＬＥＤライト１０の発光量との光量差をＥｖ（Ｅｘｐｏｓｕｒｅ  Ｖａｌｕｅ）で入力できるようになっている。１Ｅｖはカメラの絞りでは１絞り分、シャッター速度では２倍あるいは２分の１に相当するので、撮影者は、モデリング時の発光量に対する撮影時の発光量を相対的に予想することが容易となる。また、カメラ３で動作する露出補正制御を、「−１Ｅｖ」又は「−２Ｅｖ」とすることができ、カメラ３の自動露出制御を用いて、モデリング時の発光で、あたかも本番撮影の如き撮影も可能となる。
【００３９】
肖像写真や家族写真のように使用頻度の高い撮影条件については設定した撮影情報を記憶ボタン２３３でプリセットとして追加登録することができ、プリセットを選択することにより、一括して撮影条件を入力できるようになっている。
【００４０】
図３に戻り、ステップＳ１０２では、ステップＳ１０１で入力された撮影条件に基づいて、ＬＥＤライト１０を構成する白色ＬＥＤ光源１１Ｗ、赤色ＬＥＤ光源１１Ｒ、緑色ＬＥＤ光源１１Ｇ、マゼンタ色ＬＥＤ光源１１Ｍそれぞれの撮影時の発光量が決定される。本実施の形態では、ステップＳ１０１で入力された被写体Ｈの年齢層、民族種による肌の色及び人数に基づいて、予め制御装置２の記憶部２２に記憶されたＬＥＤライト１０の制御情報が読み出されるようになっている。下記表１に、記憶部２２に記憶された制御情報の一例を示す。なお、表１において白色ＬＥＤ光源１１Ｗ、赤色ＬＥＤ光源１１Ｒ、緑色ＬＥＤ光源１１Ｇ、マゼンタ色ＬＥＤ光源１１Ｍそれぞれの撮影時の発光量は、最小値０（発光しない）から最大値１１までの１２段階で示している。モデリング時の発光量は、白色ＬＥＤ光源１１Ｗ、赤色ＬＥＤ光源１１Ｒ、緑色ＬＥＤ光源１１Ｇ、マゼンタ色ＬＥＤ光源１１Ｍともに１乃至４である。
【００４１】
【表１】
2008046410.tif 000003
【００４２】
表１において、被写体Ｈが、５：女性Ａである場合には、全体に明るい印象を演出させるため、スカイライト（天井部からの直下光源）の発光量を比較的高いものとし、プレーンライト（被写体の正面上方斜め約４５度の角度を持つ光源）をほぼ同等の明るさで照射し、サイドライト（被写体横からの光源）を弱めに照射し、影になった部分を補正する。また、被写体Ｈが１３：有色人種・アフリカ系である場合には、適正値より明るめに再現することが好まれるので、スカイライトをレンブラントライト（被写体の背面上方斜め約４５度の角度を持つ光源）位置に移動させ、プレーンライトを最高輝度で照射させ、さらに、アフリカ系黒人に不足しがちな緑色を強調させた状態で照射させる必要がある。
なお、本実施の形態においては、スカイライトとレンブラントライト、及びプレーンライトとフロントライトはそれぞれ、同一のＬＥＤライト１０を用いるものであり、その設置位置を移動させることでそれぞれの照明装置としての機能を発揮するものとしているが、予め異なるＬＥＤライト１０を用いるようにしてもよい。
【００４３】
ステップＳ１０３では、後述するステップＳ１０６の本番撮影に先立って、モデリング及びプレ撮影が実行される。モデリングは、ピント合わせや被写体のポージング、照明装置の演色性の調整等の前準備であり、このときのＬＥＤ光源１１の発光量はモデリング用に抑制されたもの、すなわち第１の発光状態となっている。
【００４４】
プレ撮影は、本番撮影と同じ条件下でカメラ３若しくは図示しないプレ撮影用カメラを用いて被写体を撮影し、撮影された画像に対して簡易な画像処理が施された画像を操作表示部２３で表示しながら、ＬＥＤライト１０の配置や各色ＬＥＤ光源１１の発光量調整、カメラ３の撮影条件調整を繰り返すものである。したがってＬＥＤライト１０は、プレ撮影においては、カメラ３若しくは図示しないプレ撮影用カメラで実行される撮影動作と同期して、ステップＳ１０２で決定された発光量若しくは調整された発光量で第２の発光状態である高照度短時間で発光、すなわちストロボ発光するものである。
【００４５】
プレ撮影では、例えば、制御部２１により、カメラ３若しくは図示しないプレ撮影用カメラで撮影された画像について、画像の明るさ、色合いを任意に調整することができ、自動処理を選択した場合は、画像信号値のヒストグラム上の最も明るいところを純白にし、最も暗いところを純黒にし、その中間調が平均化されるように、ステップＳ１０２で決定された各色ＬＥＤ光源１１の発光量を調整するものである。
【００４６】
プレ撮影で実行される調整は、例えば図５に示すような、制御装置２の操作表示部２３に表示される調整画面により行われる。
【００４７】
調整画面５０には、プレ撮影された画像（以下、元写真という）５０１と、明るさや色合いが調整された画像（以下、補正写真という）５０２が表示されている。一般的な操作は、自動調整ボタン５０３を選択して、上述の如くニュートラルな補正をした後、補正写真５０２や補正写真における画像信号値のヒストグラム５０６を見ながら、明るさ調整部５０４及び色合い調整部５０５を操作して明るさや色合いを微調整する。
【００４８】
明るさ調整部５０４は、明るさの調整量をＥｖ（Ｅｘｐｏｓｕｒｅ  Ｖａｌｕｅ）で入力できるようになっている。色合い調整部５０５は、赤、青、緑の色空間の座標上の所望の調整ポイント５０５ａを選択するようになっている。ヒストグラム５０６は、赤、青、緑各色を任意に選択して表示する。
【００４９】
微調整が完了すると、決定ボタン５０７を押すことにより、選択された調整値が記憶部２２に記憶され、以降に実行される本番撮影では記憶された調整値で調整された発光量でＬＥＤライト１０が発光する。
【００５０】
ステップＳ１０３におけるモデリング及びプレ撮影が実行され、調整が完了すると（ステップＳ１０４；ＹＥＳ）、ステップＳ１０６以降の本番撮影の処理が実行される。
【００５１】
ステップＳ１０５では、カメラ３のシャッター動作と同期して出力される撮影信号がインタフェース２４に入力されるのを待ち、撮影信号が入力されると（ステップＳ１０５；ＹＥＳ）、ステップＳ１０６の処理を実行する。
【００５２】
ステップＳ１０６では、カメラ３で実行される撮影動作と同期して、ステップＳ１０３で決定された発光量でＬＥＤライト１０が第２の発光状態である高照度短時間で発光、すなわちストロボ発光し、撮影動作を終了する。なお、カメラ３において動画を撮影する場合は、カメラ３が撮影している間、ＬＥＤライト１０は第２の発光状態として高照度発光する。
【００５３】
図３のステップＳ１０６で実行されるＬＥＤライト１０における発光状態の制御の詳細について白色ＬＥＤ光源１１Ｗを例に説明する。本実施の形態において白色ＬＥＤ光源１１Ｗの発光量は６段階で制御されているが、白色ＬＥＤ光源１１Ｗに供給される電力の電圧、電流及びパルス幅が発光量に応じて制御されている。発光量と供給される電力の電圧、電流及びパルス幅の一例を下記表２に示す。なお、パルス幅は最大値を１００とするデューティ比で示している。
【００５４】
【表２】
2008046410.tif 000004
【００５５】
表２において、発光量１はモデリング時の発光量であるが、このとき被写体Ｈが眩しさのため目を細めることがなく、適度に光彩が収縮した程度となる発光量が好ましい。また、白色ＬＥＤ光源１１Ｗ及び電源装置４が過熱状態とならない程度の電力が供給されていることが好ましい。具体的には、モデリング時の発光量は、撮影時の発光量の５０％以下が好ましい。より好ましくは撮影時の発光量の５０％近傍若しくは２５％近傍である。モデリング時の発光量を撮影時の発光量の５０％近傍若しくは２５％近傍としておくと、カメラ３で動作する露出補正制御を、「−１Ｅｖ」又は「−２Ｅｖ」とすることができ、カメラ３の自動露出制御を用いて、モデリング時の発光で、あたかも本番撮影の如き撮影も可能となる。
【００５６】
一方、発光量５は白色ＬＥＤ光源１１Ｗの最大発光であるが、このときは白色ＬＥＤ光源１１Ｗが破壊しない範囲で最大の電圧、電流が所定時間供給され続ける。このような電力を電源装置の回路に負荷を与えることなく安定して供給するために、電源装置４にはコンデンサが内蔵されており、コンデンサに蓄えられた電力が、所定時間の間に白色ＬＥＤ光源１１Ｗに供給されるようになっている。
【００５７】
カメラ３における撮影動作と、ＬＥＤライト１０に供給される電力の制御について図６を用いて説明する。図６は、カメラ３、カメラ３の撮像素子及びＬＥＤライト１０の動作状態を示すタイミングチャートである。
【００５８】
図６において、モデリング時においてもＬＥＤライト１０は点灯しているが、発光量はモデリング用に抑制されたもの、すなわち第１の発光状態となっている（ｔ０）。カメラ３の図示しないレリーズボタンが押されると、撮影信号が生成され、制御装置２に対して出力され（ｔ１）、続いてカメラ３の撮像素子において電荷リセットが行われた後、電荷の蓄積が開始される（ｔ２）。
【００５９】
時刻ｔ１において撮影信号を受信した制御装置２は、撮像素子において電荷蓄積がされている間であって撮影信号を受信した所定時間後に、予め決定された発光量でＬＥＤライト１０を所定時間ストロボ発光、すなわち第２の発光状態とさせるべく、電源装置４を制御してＬＥＤライト１０に電力を供給する（ｔ３−ｔ４）。撮像素子における電荷蓄積が終了し（ｔ５）、次いで図示しない信号処理がカメラ３において実行される。
【００６０】
以上説明したように、本実施の形態によれば、撮影時に用いる光源と同一の演色性を有し、かつ同一の光源配置を有するＬＥＤライト１０を用いてモデリングを行うことができるので、正確なピント合わせと露出バランスの設定を迅速に行うことが可能となり、また、撮影時と極めて類似した光を被写体に照射できるので、露出の決定や撮影者の作画意図を再現する上で極めて効率が高く、高品位の画像を短時間のうちに撮影することが可能となる。
【００６１】
本実施の形態によれば、ＬＥＤ光源１１は、パルス状の駆動電流で駆動されているので、発光量の高精度な制御が可能である。また、ＬＥＤ光源１１には、第２の発光状態では直流の駆動電流が供給されるので、演色性が高く、かつ大きな発光量を得ることが可能となる。
【００６２】
本実施の形態によれば、ＬＥＤ光源１１に供給する駆動電流の電流及び電圧を制御しているので、幅広い発光量の制御が可能となる。
【００６３】
本実施例によれば、操作表示部２３又はインタフェース２４で入力される撮影情報と予め対応付けられた制御情報が記憶部２２から読み出され、読み出された制御情報に基づいて、第２の発光状態の発光量が制御されるので、種々の被写体に対して、短時間のうちに最適なライティングを提供することが可能となる。
【００６４】
その他、写真撮影システムを構成する各構成の細部構成及び細部動作に関しても、本発明の趣旨を逸脱することのない範囲で適宜変更可能である。
【産業上の利用可能性】
【００６５】
全ての撮影用照明装置に利用することができる。
【図面の簡単な説明】
【００６６】
【図１】本発明に係る撮影用照明装置の適用された写真撮影システムの一例を示した模式図である。
【図２】本発明に係る撮影用照明装置を構成するＬＥＤライトの正面図である。
【図３】図１に示した撮影システムにより実行される撮影動作時の処理を示すフローチャートである。
【図４】制御装置の操作表示部に表示される撮影条件入力画面の一例である。
【図５】制御装置の操作表示部に表示される調整画面の一例である。
【図６】カメラ、該カメラの撮像素子、及びＬＥＤライトの動作状態を示すタイミングチャートである。
【符号の説明】
【００６７】
１  撮影システム
２  制御装置
３  カメラ
４  電源装置
１０、１０ａ、１０ｂ  ＬＥＤライト
１１、１１Ｗ、１１Ｇ、１１Ｒ、１１Ｍ  ＬＥＤ光源
１２  基板
２１  制御部
２２  記憶部
２３  操作表示部
２４  インタフェース
Ｎ  ネットワーク
【図１】
2008046410.tif 000005
【図２】
2008046410.tif 000006
【図３】
2008046410.tif 000007
【図４】
2008046410.tif 000008
【図５】
2008046410.tif 000009
【図６】
2008046410.tif 000010